【事件の表示】
　平成　６年特許願第３１３７４５号「加速フォーマットでの再生方法及び再生装置」拒絶査定不服審判事件〔平成　７年　８月１８日出願公開、特開平　７−２１９９７０〕について、次のとおり審決する。
【結　論】
　本件審判の請求は、成り立たない。
【理　由】
第１　手続の経緯
　本願は、平成６年１２月１６日（パリ条約による優先権主張１９９３年１２月２０日、米国）の出願であって、平成１６年１月２８日付で拒絶査定がなされ（発送日同年２月３日）、これに対し、同年４月３０日に拒絶査定不服審判の請求がなされるとともに、同年４月３０日付で手続補正がなされたものである。
　
　
第２　本願発明について 
　
１．本願発明
　本願の請求項１乃至５に係る発明は、平成１５年１２月２４日付けの手続補正によって補正された明細書及び図面の記載からみて、特許請求の範囲の請求項１乃至５に記載されたとおりのものと認められるところ、その請求項４に係る発明（以下、「本願発明」という。）は、次のとおりのものである。 
　　
「【請求項４】　コンピュータ・システムで音声プレゼンテーションを加速されたフォーマットで再生する方法であって、コンピュータ・システムは、プロセッサ、スピーカ、およびユーザ入力装置を具備し、コンピュータ・システムがデータを記憶するための記憶領域に連結され、
　プレゼンテーションの一部を記憶領域内の、音声データを有する記録バッファの中に記録するステップと、
　前記記録バッファ中の前記プレゼンテーションの音声データの再生を加速するためにプロセッサを使用するステップと、
　前記記録バッファ中の音声データの加速された再生の間、前記記録バッファに前記プレゼンテーションを進行中に記録するステップと、
　前記記録バッファ中のプレゼンテーションが再生されかつ加速された再生が音声プレゼンテーションに進行中に追いついた後に、ノーマル・スピードで前記プレゼンテーションを上演するステップと、
　を有する加速フォーマットでの再生方法。」 
　
　なお、特許請求の範囲第４項の「・・・、コンピュータシステムがデータを記憶するための記憶領域に連結され、・・・」という記載は、「・・・、コンピュータ・システムがデータを記憶するための記憶領域に連結され、・・・」の誤記であることは明らかであるから、上記のように認定する。
　
　　
 ２．引用例
　　
（１）原査定の拒絶の理由に引用された、特開平４−４４４８３号公報（以下、「引用例１」という。）には、次の事項が記載されている。
　　
（ア）
「（産業上の利用分野）
　この発明は、情報記録再生機器（例えばビデオテープレコーダ：ＶＴＲ）の記録再生動作を制御する録画再生制御装置に関する。」
　　　　　　　　　　　　　　　　　　　　　（第１頁右欄第４乃至７行）
　
（イ）
「そこでこの発明は、簡単な構成により、タイマー録画が帰宅時にすでに開始されていても、録画済み分の番組を高速で再生して、実時間で放送されている時点まで番組が追いつくようにし、この時点からは現在の放送信号による視聴を可能とし、使用勝手を向上した録画再生制御装置を提供することを目的とする。」　　　　　　　　　　　　　（第２頁右上欄第３乃至９行）
　
（ウ）
「第１図において１１はアンテナであり、ここからのテレビジョン放送信号は、受信及び復調部１２に導入されて、音声信号及び複合映像信号を含む第１のベースバンド信号に復調される。ユーザがこの放送番組を視聴する場合には、第１のベースバンド信号は、切替え部１３を介して出力信号切替え部１４に導入され、ここから出力端子１５を介してテレビジョン受像機に供給される。」　　　　　　　（第２頁左下欄第２０行から同頁右下欄第７行）
　
（エ）
「さらに第１のベースバンド信号は、切替え部１３を介してアナログデジタル（Ａ／Ｄ）変換器２５にも入力される。Ａ／Ｄ変換器２５の出力は、書き込み制御部２８の制御に基づいてデータ書込みを行うメモリ２６に記録される。またこのメモリ２６に記録された信号は読出し制御部２９の制御に基づいて読出され、デジタルアナログ（Ｄ／Ａ）変換器２７に供給される。Ｄ／Ａ変換器２７からの出力は、第３のベースバンド信号として出力信号切替え部１４に供給される。ここで、メモリ２６には、ベースバンド信号を、例えばフレーム間引きして時間圧縮した形で記憶することができる。」
　　　　　　　　　　　　　　　　　　　（第３頁左上欄第１乃至１３行）
　なお「・・・、書き込み制御部２８の制御に基づいて、・・・」は、「・・・、書込み制御部２８の制御に基づいて、・・・」の誤記であると認定する。
　
（オ）
「記録媒体切替え部３０は、システム制御部３１からの制御信号ｂに基づいて、記録制御部１８と書込み制御部２８のアクティブ状態を切替え制御する部分である。
　システム制御部３１は、操作部（図示せず）あるいはリモートコントロール部からの入力信号に基づいて、各部の信号経路や動作を切換え制御するための制御信号ａ〜ｇを出力する。」
　　　　　　　　　　　　（第３頁左上欄第１４行から同頁右上欄第１行）
　
（カ）
「第２図はシステム制御部３１に示す内部のプログラムを意味する。タイマーによる録画予約がある場合、タイマー時刻とスタート設定時刻とが一致するか否かの判定が行われる（ステップＳ１、Ｓ２、Ｓ３）。タイマー時刻とスタート設定時刻が一致すると（つまり予約放送番組が開始されると）、録画がスタートする（ステップＳ４）。録画中でテープが終了したり、終了設定時刻とタイマー時刻とが一致（つまり予約放送番組が終了）すると、この制御ルーチンは終了となる（ステップＳ５、Ｓ６）。しかし録画が終了していない状態で、例えば予約解除が行われると（ステップＳ７）、メモリ２６への書き込みが開始され（ステップＳ８）、平行してテープの巻き戻し、続いて再生が行われる（ステップＳ８、Ｓ９）。」
　　　　　　　　　　　　　　　　　　　（第３頁右上欄第４乃至１８行）
　
（キ）
「ここで、予約番組の高速再生が終了すると（ステップＳ１１）、今度は、メモリ２６に格納されている時間圧縮された信号が読み出され、デジタルアナログ変換されて第３のベースバンド信号Ｙとして出力信号切替え部１４に入力される。このときは、出力信号切替え部１４は、信号Ｙを選択するように切り替えられる（ステップＳ１２）。」
　　　　　　　　　　　　　　　　　　　（第３頁左下欄第６乃至１２行）
　
（ク）
「メモリＳ１４の読出し時間が経過し、現在の放送信号の内容に追い付くと（ステップＳ１３、Ｓ１４）、今度は、出力信号切替え部１４は、第１のベースバンド信号Ｚを選択して導出するように切替えられ、この処理ルーチンは終了する（ステップＳ１５、Ｓ１６）。」
　　　　　　　　　　　　　　　　　　　（第３頁右下欄第５乃至１０行）
　なお「メモリＳ１４の読み出し時間が経過し、・・・」は、「メモリ２６の読み出し時間が経過し、・・・」の誤記であると認定する。
　
　
　以上の引用例１の記載によれば、引用例１には以下の事項が開示されていると認められる。
　
（ａ）引用例１の上記（ア）の「この発明は、情報記録再生機器（例えばビデオテープレコーダ：ＶＴＲ）の記録再生動作を制御する録画再生制御装置に関する。」という記載、
　引用例１の上記（イ）の「そこでこの発明は、簡単な構成により、タイマー録画が帰宅時にすでに開始されていても、録画済み分の番組を高速で再生して、実時間で放送されている時点まで番組が追いつくようにし、この時点からは現在の放送信号による視聴を可能とし、使用勝手を向上した録画再生制御装置を提供することを目的とする。」という記載、
　引用例１の上記（ウ）の「第１図において１１はアンテナであり、ここからのテレビジョン放送信号は、受信及び復調部１２に導入されて、音声信号及び複合映像信号を含む第１のベースバンド信号に復調される。ユーザがこの放送番組を視聴する場合には、第１のベースバンド信号は、切替え部１３を介して出力信号切替え部１４に導入され、ここから出力端子１５を介してテレビジョン受像機に供給される。」という記載、
　引用例１の上記（エ）の「ここで、メモリ２６には、ベースバンド信号を、例えばフレーム間引きして時間圧縮した形で記憶することができる。」という記載、
　引用例１の上記（キ）の「ここで、予約番組の高速再生が終了すると（ステップＳ１１）、今度は、メモリ２６に格納されている時間圧縮された信号が読み出され、デジタルアナログ変換されて第３のベースバンド信号Ｙとして出力信号切替え部１４に入力される。このときは、出力信号切替え部１４は、信号Ｙを選択するように切り替えられる（ステップＳ１２）。」という記載、
　引用例１の上記（ク）の「メモリＳ１４の読出し時間が経過し、現在の放送信号の内容に追い付くと（ステップＳ１３、Ｓ１４）、今度は、出力信号切替え部１４は、第１のベースバンド信号Ｚを選択して導出するように切替えられ、この処理ルーチンは終了する（ステップＳ１５、Ｓ１６）。」という記載から、
　引用例１には「情報記録再生機器とテレビジョン受像機からなるシステムで音声を含む番組をフレーム間引きして時間圧縮した形で高速再生する方法」が開示されていると認められる。
　
（ｂ）上記（ａ）の「情報記録再生機器とテレビジョン受像機からなるシステムで音声を含む番組をフレーム間引きして時間圧縮した形で高速再生する方法」という開示、
　引用例１の上記（ウ）の「ここから出力端子１５を介してテレビジョン受像機に供給される。」という記載（なお、「テレビジョン受像機」が「スピーカ」を備えていることは顕著な事実である。）、
　引用例１の上記（エ）の「さらに第１のベースバンド信号は、切替え部１３を介してアナログデジタル（Ａ／Ｄ）変換器２７にも入力される。Ａ／Ｄ変換器２５の出力は、書き込み制御部２８の制御に基づいてデータ書込みを行うメモリ２６に記録される。またこのメモリ２６に記録された信号は読出し制御部２９の制御に基づいて読出され、デジタルアナログ（Ｄ／Ａ）変換器２５に供給される。Ｄ／Ａ変換器２７からの出力は、第３のベースバンド信号として出力信号切替え部１４に供給される。」という記載（なお、「メモリ」が「記憶領域」を有することは顕著な事実である。）、
　引用例１の上記（オ）の「システム制御部３１は、操作部（図示せず）あるいはリモートコントロール部からの入力信号に基づいて、各部の信号経路や動作を切換え制御するための制御信号ａ〜ｇを出力する。」という記載、
及び第１図の記載から、
　引用例１には「情報記録再生機器とテレビジョン受像機からなるシステムは、システム制御部、スピーカ、データを記憶するための記憶領域、及び操作部を具備し」ていることが開示されていると認められる。
　
（ｃ）引用例１の上記（イ）の「そこでこの発明は、簡単な構成により、タイマー録画が帰宅時にすでに開始されていても、録画済み分の番組を高速で再生して、実時間で放送されている時点まで番組が追いつくようにし、この時点からは現在の放送信号による視聴を可能とし、使用勝手を向上した録画再生制御装置を提供することを目的とする。」という記載、
　引用例１の上記（ウ）の「第１図において１１はアンテナであり、ここからのテレビジョン放送信号は、・・・（中略）・・・、音声信号及び複合映像信号を含む第１のベースバンド信号に復調される。」という記載から、「第１ベースバンド信号」は「音声信号」を含むことが開示されていること、
　引用例１の上記（エ）の「さらに第１のベースバンド信号は、切替え部１３を介してアナログデジタル（Ａ／Ｄ）変換器２７にも入力される。Ａ／Ｄ変換器２５の出力は、書き込み制御部２８の制御に基づいてデータ書込みを行うメモリ２６に記録される。」という記載から、「第１ベースバンド信号」が「メモリ２６」に「データ」書込み記録され蓄積されていくことが開示されていること、
　引用例１の上記（カ）の「タイマー時刻とスタート設定時刻が一致すると（つまり予約放送番組が開始されると）、録画がスタートする（ステップＳ４）。・・・（中略）・・・。しかし録画が終了していない状態で、例えば予約解除が行われると（ステップＳ７）、メモリ２６への書き込みが開始され（ステップＳ８）」るという記載から、「メモリ２６」には番組の一部が書き込まれることが開示されていることから、
　引用例１には「番組の一部を記憶領域内の、音声データを有し得るメモリの中に記録するステップ」が開示されていると認められる。
　
（ｄ）上記（ｃ）の「番組の一部を記憶領域内の、音声データを有し得るメモリの中に記録するステップ」という開示、
　引用例１の上記（オ）の「記録媒体切替え部３０は、システム制御部３１からの制御信号ｂに基づいて、記録制御部１８と書込み制御部２８のアクティブ状態を切替え制御する部分である。システム制御部３１は、操作部（図示せず）あるいはリモートコントロール部からの入力信号に基づいて、各部の信号経路や動作を切換え制御するための制御信号ａ〜ｇを出力する。」という記載から、「システム制御部３１」は「記録媒体切替え部３０」を介して「書込み制御部２８」を制御することが開示されていること、
　引用例１の上記（エ）の「さらに第１のベースバンド信号は、切替え部１３を介してアナログデジタル（Ａ／Ｄ）変換器２７にも入力される。Ａ／Ｄ変換器２５の出力は、書き込み制御部２８の制御に基づいてデータ書込みを行うメモリ２６に記録される。またこのメモリ２６に記録された信号は読出し制御部２９の制御に基づいて読出され、デジタルアナログ（Ｄ／Ａ）変換器２５に供給される。Ｄ／Ａ変換器２７からの出力は、第３のベースバンド信号として出力信号切替え部１４に供給される。ここで、メモリ２６には、ベースバンド信号を、例えばフレーム間引きして時間圧縮した形で記憶することができる。」という記載から、「書き込み制御部２８」（「書込み制御部２８」の誤記）の制御に基づいて「メモリ２６」に「フレーム間引きして時間圧縮した形」で記憶させ、「読出し制御部２９」の制御に基づいて「メモリ２６に記録された信号」が読出されることが開示されていることから、
　引用例１には「前記メモリ中の前記番組の音声データを高速再生するためにシステム制御部を使用するステップ」が開示されていると認められる。
　
（ｅ）上記（ｄ）の「前記メモリ中の前記番組の音声データを高速再生するためにシステム制御部を使用するステップ」という開示、
　引用例１の上記（イ）の「そこでこの発明は、簡単な構成により、タイマー録画が帰宅時にすでに開始されていても、録画済み分の番組を高速で再生して、実時間で放送されている時点まで番組が追いつくようにし、この時点からは現在の放送信号による視聴を可能とし、使用勝手を向上した録画再生制御装置を提供することを目的とする。」という記載、
　引用例１の上記（カ）の「しかし録画が終了していない状態で、例えば予約解除が行われると（ステップＳ７）、メモリ２６への書き込みが開始され（ステップＳ８）」るという記載、及び、引用例１の上記（キ）の「ここで、予約番組の高速再生が終了すると（ステップＳ１１）、今度は、メモリ２６に格納されている時間圧縮された信号が読み出され」るという記載から、「メモリ２６への書込みが開始」された後に「メモリ２６に格納されている時間圧縮された信号が読み出され」ることが開示されていること、
　引用例１の上記（ク）の「メモリＳ１４の読出し時間が経過し、現在の放送信号の内容に追い付くと（ステップＳ１３、Ｓ１４）、今度は、出力信号切替え部１４は、第１のベースバンド信号Ｚを選択して導出するように切替えられ、この処理ルーチンは終了する（ステップＳ１５、Ｓ１６）。」という記載から、
　引用例１には「前記メモリへの放送信号の書き込みが開始された後に、前記メモリに格納されている音声データを高速再生し、前記メモリの読出し時間が経過すると、現在の放送信号の内容に追い付くステップ」が開示されていると認められる。
　
（ｆ）引用例１の上記（イ）の「そこでこの発明は、簡単な構成により、タイマー録画が帰宅時にすでに開始されていても、録画済み分の番組を高速で再生して、実時間で放送されている時点まで番組が追いつくようにし、この時点からは現在の放送信号による視聴を可能とし、使用勝手を向上した録画再生制御装置を提供することを目的とする。」という記載、
　引用例１の上記（ク）の「メモリＳ１４の読み出し時間が経過し、現在の放送信号の内容に追い付くと（ステップＳ１３、Ｓ１４）、今度は、出力信号切替え部１４は、第１のベースバンド信号Ｚを選択して導出するように切替えられ、この処理ルーチンは終了する（ステップＳ１５、Ｓ１６）。」という記載、
　引用例１の上記（ウ）の「ユーザがこの放送番組を視聴する場合には、第１のベースバンド信号は、切替え部１３を介して出力信号切替え部１４に導入され、ここから出力端子１５を介してテレビジョン受像機に供給される。」という記載から、
　引用例１には「前記メモリの番組が再生されかつ高速再生されることにより実時間で放送されている番組に追い付くと、現在の放送信号による番組を視聴可能とするステップ」が開示されていると認められる。
　
　
　以上の引用例の記載によれば、引用例１には下記の発明（以下、「引用例１発明」という。）が開示されていると認められる。
　
「情報記録再生機器とテレビジョン受像機からなるシステムで音声を含む番組をフレーム間引きして時間圧縮した形で高速再生する方法であって、情報記録再生機器とテレビジョン受像機からなるシステムは、システム制御部、スピーカ、データを記憶するための記憶領域、及び操作部を具備し、
　番組の一部を記憶領域内の、音声データを有し得るメモリの中に記録するステップと、
　前記メモリ中の前記番組の音声データを高速再生するためにシステム制御部を使用するステップと、
　前記メモリへの放送信号の書き込みが開始された後に、前記メモリに格納されている音声データを高速再生し、前記メモリの読出し時間が経過すると、現在の放送信号の内容に追い付くステップと、
　前記メモリの番組が再生されかつ高速再生されることにより実時間で放送されている番組に追い付くと、現在の放送信号による番組を視聴可能とするステップと、
　を有するフレーム間引きして時間圧縮した形で高速再生する方法。」
　
　
３．対比
　本願発明と引用例１発明とを対比する。
　
　引用例１発明の「フレーム間引きして時間圧縮した形」、「操作部」、「メモリ」は、
それぞれ、本願発明の「加速されたフォーマット」、「ユーザ入力装置」、「記録バッファ」に相当する。
　
　引用例１発明の「情報記録再生機器とテレビジョン受像機からなるシステムで音声を含む番組をフレーム間引きして時間圧縮した形で高速再生する方法」と、
　本願発明の「コンピュータ・システムで音声プレゼンテーションを加速されたフォーマットで再生する方法」とは、
　「システム」（引用例１発明の「情報記録再生機器とテレビジョン受像機からなるシステム」、本願発明の「コンピュータ・システム」の上位概念）で音声「コンテンツ」（引用例１発明の「番組」、本願発明の「プレゼンテーション」の上位概念）を「加速されたフォーマットで再生する方法」である点で共通し、
・本願発明の「システム」は「コンピュータ・システム」であるのに対し、引用例１発明の「システム」は「情報記録再生機器とテレビジョン受像機からなるシステム」である点、
・本願発明の「コンテンツ」は「プレゼンテーション」であるのに対し、引用例１発明の「コンテンツ」は「番組」である点で相違する。
　　
　引用例１発明の「情報記録再生機器とテレビジョン受像機からなるシステムは、システム制御部、スピーカ、データを記憶するための記憶領域、及び操作部を具備し」ていることと、
　本願発明の「コンピュータ・システムは、プロセッサ、スピーカ、およびユーザ入力装置を具備し、コンピュータ・システムがデータを記憶するための記憶領域に連結され」ていることとは、
　「システム」（引用例１発明の「情報記録再生機器とテレビジョン受像機からなるシステム」、本願発明の「コンピュータ・システム」の上位概念）は、「制御手段」（引用例１発明の「システム制御部」、本願発明の「プロセッサ」の上位概念）、「スピーカ、およびユーザ入力装置を具備」する点で共通し、
　本願発明の「システム」は、「制御手段」としての「プロセッサ」を具備し、記憶領域に「連結」される「コンピュータ・システム」であるのに対し、引用例１発明の「システム」は、「制御手段」としての「システム制御部」、及び「記憶領域」を具備する「情報記録再生機器とテレビジョン受像機からなるシステム」である点、
　で相違する。
　
　引用例１発明の「番組の一部を記憶領域内の、音声データを有し得るメモリの中に記録するステップ」と、
　本願発明の「プレゼンテーションの一部を記憶領域内の、音声データを有する記録バッファの中に記録するステップ」とは、
　本願発明の「音声データを有する記録バッファ」に関して、「（記録）バッファ」と称するものはデータを一時記憶するためのものであってデータを恒久的に記憶するためのものではないことは技術常識であること、コンピュータ・システムの起動直後であっても「記録バッファ」が音声データを有することには技術的に困難であること、を鑑みれば、「『如何なる時でも必ず』音声データを有する」というような厳密な意味で「音声データを有する」という表現を用いているのではないことは明らかであるから、
　「コンテンツ」（引用例１発明の「番組」、本願発明の「プレゼンテーション」の上位概念）の一部を記憶領域内の、音声データを有する記録バッファの中に記録するステップ、という点で共通し、
　本願発明の「コンテンツ」は「プレゼンテーション」であるのに対し、引用例１発明の「コンテンツ」は「番組」である点で相違する。
　
　引用例１発明の「前記メモリ中の前記番組の音声データを高速再生するためにシステム制御部を使用するステップ」と、
　本願発明の「前記記録バッファ中の前記プレゼンテーションの音声データの再生を加速するためにプロセッサを使用するステップ」とは、
　前記記録バッファ中の前記「コンテンツ」（引用例１発明の「番組」、本願発明の「プレゼンテーション」の上位概念）の音声データの再生を加速するために「制御手段」（引用例１発明の「システム制御部」、本願発明の「プロセッサ」の上位概念）を使用するステップ、という点で共通し、
・本願発明の「コンテンツ」は「プレゼンテーション」であるのに対し、引用例１発明の「コンテンツ」は「番組」である点、
・本願発明の「制御手段」は「プロセッサ」であるのに対し、引用例１発明の「制御手段」は「システム制御部」である点、
　で相違する。
　　
　引用例１発明の「前記メモリの番組が再生されかつ高速再生されることにより実時間で放送されている番組に追い付くと、現在の放送信号による番組を視聴可能とするステップ」と、
　本願発明の「前記記録バッファ中のプレゼンテーションが再生されかつ加速された再生が音声プレゼンテーションに進行中に追いついた後に、ノーマル・スピードで前記プレゼンテーションを上演するステップ」とは、
　引用例１発明の「現在の放送信号による番組」がノーマル・スピードのものであることは自明であることを鑑みれば、
　前記記録バッファ中の「コンテンツ」（引用例１発明の「番組」、本願発明の「プレゼンテーション」の上位概念）が再生されかつ加速された再生が音声「コンテンツ」に進行中に追い付いたときに、ノーマル・スピードで前記「コンテンツ」を上演するステップ、という点で共通し、
　本願発明の「コンテンツ」は「プレゼンテーション」であるのに対し、引用例１発明の「コンテンツ」は「番組」である点で相違する。
　
　
　したがって、両者は、
「システムで音声コンテンツを加速されたフォーマットで再生する方法であって、システムは、スピーカ、およびユーザ入力装置を具備し、
　コンテンツの一部を記憶領域内の、音声データを有する記録バッファの中に記録するステップ、
　前記記録バッファ中の前記コンテンツの音声データの再生を加速するためのステップ、
　前記記録バッファ中のコンテンツが再生されかつ加速された再生が音声コンテンツに進行中に追い付いたときに、ノーマル・スピードで前記コンテンツを上演するステップと、
　を有する加速フォーマットでの再生方法。」
の点で一致し、
　
（相違点１）本願発明の「コンテンツ」は「プレゼンテーション」であるのに対し、引用例１発明の「コンテンツ」は「番組」である点、
　
（相違点２）本願発明の「システム」は、「制御手段」としての「プロセッサ」を具備し、記憶領域に「連結」される「コンピュータ・システム」であるのに対し、引用例１発明の「システム」は、「制御手段」としての「システム制御部」、及び「記憶領域」を具備する「情報記録再生機器とテレビジョン受像機からなるシステム」である点、
（なお、本願発明の「制御手段」は「プロセッサ」であるのに対し、引用例１発明の「制御手段」は「システム制御部」である点で相違する、という認定は、「制御手段」の認定に関して当該相違点２の認定と共通するので、当該相違点２に含める。）　
　
（相違点３）本願発明は「前記記録バッファ中の音声データの加速された再生の間、前記記録バッファに前記プレゼンテーションを進行中に記録するステップ」を有しているのに対し、引用例１発明は「前記メモリへの放送信号の書き込みが開始された後に、前記メモリに格納されている音声データを高速再生し、前記メモリの読出し時間が経過すると、現在の放送信号の内容に追い付くステップ」を有しているものの、メモリに格納されている音声データの高速再生を開始してもメモリへの書き込みを継続しているのか否かが不明瞭な点、
　
　で相違する。
　
　
４．相違点の判断
　
（１）相違点１について
本願明細書の
「【０００４】
　　【発明が解決しようとする課題】
　本発明は、ライブ伝送マルチメディア・プレゼンテーション（ｍｕｌｔｉｍｅｄｉａ　ｐｒｅｓｅｎｔａｔｉｏｎ）で発生する２つの問題点を解決する。ある人物が最初から会議を見ていて、何も見落とさずにある部分を見直すために元に戻りたいと考える場合に、第１の問題が発生する。第２の問題は、ある人物が進行中の会議に参加したいと考えるが、すでに明らかになったことで最新情報を得る必要がある場合である。」
という記載から、本願発明の「プレゼンテーション」には会議におけるもの等が含まれることが理解できる。
　
　一方、我が国では、（ライブ放送、すなわち、生放送の場合もある）「国会中継」等の会議におけるプレゼンテーションを番組として放送することがあることは顕著な事実である。
　
　したがって、引用例１発明の「コンテンツ」である「番組」に代え、「国会中継」等の会議におけるプレゼンテーションを採用することは、当業者が容易に想到し得ることである。
　
（２）相違点２について
　引用例１発明の「システム制御部」が如何なる部品で構成されているのかは不明であるものの、引用例１の上記（カ）の「第２図はシステム制御部３１に示す内部のプログラムを意味する。」という記載から、「システム制御部」をプログラムに基づいて動作するプロセッサで構成することが可能であることが示唆されている。
　
　しかも、各種機器の制御をプログラムに基づいて動作するプロセッサ等の部品を備えたコンピュータ・システムにより実現することは情報処理分野における常套手段（例えば、特開平４−８８７７２号公報（特に、第１図中の「ＣＰＵ３１」を参照）である。
　そうすると、引用例１発明において、「制御手段」としての「システム制御部」を、「プロセッサ」で構成することによりコンピュータ・システムとして実現することは、当業者が容易に想到し得ることである。
　
　また、記憶領域を提供する記憶手段をコンピュータ・システムの内又は外に設けることも情報処理分野における常套手段であるから、記憶領域を、コンピュータ・システムの内に具備せしめる代わりに、コンピュータ・システムの外に設けた上で連結されるように構成することも、当業者が容易に想到し得ることである。
　
（３）相違点３について
　引用例１発明は「前記メモリへの放送信号の書き込みが開始された後に、前記メモリに格納されている音声データを高速再生し、前記メモリの読出し時間が経過すると、現在の放送信号の内容に追い付くステップ」を有しているものの、メモリに格納されている音声データの高速再生を開始してもメモリへの書き込みを継続している構成を有しているとの記載はなされていない。
　
　しかしながら、引用例１発明では「前記メモリの読出し時間が経過すると、現在の放送信号の内容に追い付く」のであるから、少なくとも、メモリには現在までの放送信号が記憶されていなければならない。
　そのための構成としては、技術常識として、引用例１発明メモリに格納されている音声データの高速再生を行っている間も、放送信号をメモリに書込むことが行われていることが示唆されているといえる。
（仮に、メモリに格納されている音声データの高速再生を行っている間は、放送信号をメモリに書込まないとすると、メモリに記憶された全てのデータの読出しが終了する直前に高速再生される音声データは、現在の放送信号の直前のデータではなく、音声データの高速再生を開始した時のデータとなるのであるから、現在の放送信号の内容に追い付いていないことになる。）
　
　一方、引用例１には明記されていないものの、記録と再生とを独立に行える記憶手段を採用して、コンテンツを記録しながら再生することは周知技術（例えば、特開平４−８８７７２号公報（特に、第２頁左下欄第７乃至２０行、第３頁左上欄第１１乃至１９行、第４頁左下欄第２０行から同頁右下欄第１５行、第５頁右上欄第２０行から同頁左下欄第７行の記載）、特開平４−５０６２７６号公報（特に、第３頁右上欄第２乃至８行の記載）、特開平３−２５９６７８号公報（特に、第２頁左下欄第８乃至１３行の記載）を参照）である。
　
　そうすると、記録と再生とを独立に行える記憶手段を引用例１発明の「メモリ」として採用することにより、メモリに格納されている音声データの高速再生を行っている間も、メモリへの書き込みを継続することによって、現在の放送信号の内容に追い付けるように構成することは、当業者が容易に想到し得ることである。
　
　
 ５．むすび 
　したがって、本願発明は、引用例１記載の発明に基づいて、当業者が容易に発明をすることができたものであり、特許法２９条２項の規定により特許を受けることができないから、他の請求項について検討するまでもなく、本願は拒絶されるべきものである。 
　よって、結論のとおり審決する。